(57)【要約】      （修正有）【課題】作業者がラチェットレンチを操作しメンテナンスを行う時、アークジャンプ伝導の感電事故を発生することを回避する効果を有するアークが人体にジャンプ伝導することを防止する絶縁ラチェットレンチを提供する。【解決手段】絶縁ラチェットレンチは、つまみ４及び絶縁本体３の間に重複構造を有する設計であり、使用者につまみ４を調整させるか、ラチェット機構組２付近を掴持させる時、帯電部材がラチェット機構組２を経由しジャンプアーク電撃により人体への危険を発生することを防止することができる。【選択図】図１
0003189909.tif 000002
【実用新案登録請求の範囲】
【請求項１】
レンチ本体と、ラチェット機構組と、絶縁本体と、つまみと、を含み、そのうち、
該レンチ本体の一端は、掴持端であり、他端は、レンチ頭部であり、
該ラチェット機構組は、該レンチ頭部に組み付けられ、且つラチェット機構組は、それぞれレンチ頭部両側に突出する駆動部及び連動部を設け、
該絶縁本体は、レンチ本体を覆い、該絶縁本体は、連動部を貫通設置させる連動絶縁環を成形し、絶縁本体は、駆動部を貫通設置させる駆動絶縁環を成形し、該駆動絶縁環及び駆動部の間に隙間を保有し、該連動絶縁環底面環に主リング壁及び副リング壁を環設し、
該つまみは、連動部と組み付け、該連動絶縁環を密閉し、該つまみは、主リング壁に対応して主環溝を設け、且つ副リング壁に対応して副環溝を設け、該つまみは、主環溝、副環溝によりそれぞれ主リング壁及び副リング壁に対応して滑動的に被せ設けられ、
前記主リング壁、副リング壁端面は、それぞれ主環溝、副環溝の溝底面に滑動の隙間を保有する絶縁ラチェットレンチ。
【請求項２】
前記主リング壁及び副リング壁は、同心で間隔をおいて連動絶縁環底面に環設される請求項１に記載の絶縁ラチェットレンチ。
【請求項３】
前記主リング壁及び副リング壁の両者端面と連動絶縁環底面の距離は、同一の水平高度である請求項１に記載の絶縁ラチェットレンチ。
【請求項４】
前記つまみ外径は、連動絶縁環内径に密閉される請求項１に記載の絶縁ラチェットレンチ。
【請求項５】
前記絶縁本体は、第１絶縁層及び第２絶縁層が構成する積層構造は、レンチ本体を覆う請求項１に記載の絶縁ラチェットレンチ。
【請求項６】
前記絶縁本体は、単層絶縁層から構成され、該レンチ本体を覆う請求項１に記載の絶縁ラチェットレンチ。
【考案の詳細な説明】
【技術分野】
【０００１】
本考案は、アークジャンプ伝導を防止する絶縁構造に関し、特に、作業者のメンテナンス過程において、アークジャンプ伝導の感電事故を発生することを回避することができる絶縁ラチェットレンチに関する。
【背景技術】
【０００２】
産業において、多くの作業を行う時、最もしばしば使用する機器は、ハンドツールであるが、大部分は、ハイテク技術又は複雑な作業プロセスにより徐々に機器に代行されているが、生産作業において、最も基本の加工及びメンテナンスは、依然としてハンドツールの補助に頼って初めて完成でき、更に、工業の主軸となる重工業においてもハンドツール業の製品に頼って各機具をメンテナンス、生産する必要があり、ハンドツール業は、従って、発展を遂げ、各項が使用者の微細な要求に適合したハンドツール関連製品がメーカにおいて絶えず工夫され、開発されている。多くの加工及びメンテナンス作業は、電気機器に対して行われるか、電気スペースで行われ、このような状況において、金属材質のハンドツールは、導体のように、電流を有する適用箇所で不注意で漏電した時にハンドツールは、電流を瞬間的に伝導し、ハンドツールを掴持する作業者に感電事故を発生させ、更に深刻には、火傷や命の危険を招く。
【０００３】
多くのハンドツールにおいて、レンチ類のツールについて言えば、使用時、掴持端に施力することにより、てこの原理を利用し、螺合部材を回転させ、着脱部材の効果を達成する。上記欠陥を改良する為、業者は、レンチ本体のロッド体にプラスチック掴持柄を直接被せ置き（これは、近年のラチェットレンチである）、このように、ラチェットレンチの一部の欠陥を解決することができるが、作業環境内に高圧電を有し、且つツールが湿っている状態において、高圧電電圧が過度に大きく、ジャンプ伝導作用が生じることよってラチェット機構組中から人体に伝導し、電撃又は使用者の生命の危険を招き易い。
【０００４】
これに鑑み、本考案者は、従来のラチェットレンチが電気機器作業環境でラチェット機構組からアークを発生し、人体にジャンプ伝導する電撃事故を生じることを回避する為、ラチェットレンチに対し、改良及び設計を行い、「絶縁ラチェットレンチ」を考案している。
【先行技術文献】
【特許文献】
【０００５】
【特許文献１】特開２０１３−６２９６０号公報
【考案の概要】
【考案が解決しようとする課題】
【０００６】
本考案の目的は、作業者がラチェットレンチを操作しメンテナンスを行う時、アークジャンプ伝導の感電事故を発生することを回避する効果を有するアークが人体にジャンプ伝導することを防止する「絶縁ラチェット」を提供することである。
【課題を解決するための手段】
【０００７】
上記の目的及び効果を達成する為、本考案の「絶縁ラチェットレンチ」は、レンチ本体と、ラチェット機構組と、絶縁本体と、つまみと、を含み、そのうち、該レンチ本体の一端は、掴持端であり、他端は、レンチ頭部であり、該ラチェット機構組は、該レンチ頭部に組み付けられ、且つラチェット機構組は、それぞれレンチ頭部両側に突出する駆動部及び連動部を設け、該絶縁本体は、レンチ本体を覆い、該絶縁本体は、連動部を貫通設置させる連動絶縁環を成形し、絶縁本体は、駆動部を貫通設置させる駆動絶縁環を成形し、該駆動絶縁環及び駆動部の間に隙間を保有し、該連動絶縁環底面環に主リング壁及び副リング壁を環設し、該つまみは、連動部と組み付け、該連動絶縁環を密閉し、該つまみは、主リング壁に対応して主環溝を設け、且つ副リング壁に対応して副環溝を設け、該つまみは、主環溝、副環溝によりそれぞれ主リング壁及び副リング壁に対応して滑動的に被せ設けられ、前記主リング壁、副リング壁端面は、それぞれ主環溝、副環溝の溝底面に滑動の隙間を保有する。
【０００８】
前記主リング壁及び副リング壁は、同心で間隔をおいて連動絶縁環底面に環設される。
【０００９】
前記主リング壁及び副リング壁の両者端面と連動絶縁環底面の距離は、同一の水平高度である。
【００１０】
前記つまみ外径は、連動絶縁環内径に密閉される。
【００１１】
前記絶縁本体は、第１絶縁層及び第２絶縁層が構成する積層構造は、レンチ本体を覆う。
【００１２】
前記絶縁本体は、単層絶縁層がレンチ本体を覆うものである。
【００１３】
従って、本考案は、相當実用性及び進歩性を有する考案であり、産業界に推進し、社会大衆に公開するに値するものであると言うことができる。
【考案の効果】
【００１４】
本考案の絶縁ラチェットレンチは、つまみ及び絶縁本体の間に重複構造を有する設計であり、使用者につまみを調整させるか、ラチェット機構組付近を掴持させる時、帯電部材がラチェット機構組を経由しジャンプアーク電撃により人体への危険を発生することを防止することができる。
【図面の簡単な説明】
【００１５】
【図１】本考案の分解状態の立体説明図である。
【図２】本考案の組み合わせ状態の立体説明図である。
【図３】本考案の他の視角の組み合わせ状態の立体説明図である。
【図４】本考案の断面説明図である。
【図５】図４の局部拡大説明図である。
【図６】本考案の絶縁本体が単層絶縁層である断面説明図である。
【考案を実施するための形態】
【００１６】
本考案が達成できる上記効果及び目的を説明する為、本考案は、実施例を挙げ、且つ該実施例の各部材構造及び組み合わせ関係は、下記説明及び図１〜図３を参照する。本考案の「絶縁ラチェットレンチ」は、レンチ本体１と、ラチェット機構組２と、絶縁本体３と、つまみ４と、を含み、そのうち、
該レンチ本体１の一端は、掴持端１１であり、使用者に操作使用させ、該レンチ本体１の他端は、レンチ頭部１２であり、該ラチェット機構組２は、該レンチ頭部１２中に組み付けられ、且つ該ラチェット機構組２は、それぞれレンチ頭部１２両側の駆動部２１及び連動部２２に突出し、且つ該駆動部２１は、部材に対し着脱作業を行うことができ、該連動部２２は、ラチェット機構組２の単一方向の空回り方向を制御し、該絶縁本体３は、レンチ本体１を覆い、該絶縁本体３は、連動部２２を貫通設置させる連動絶縁環３１を成形し、絶縁本体３は、駆動部２１を貫通設置させる駆動絶縁環３２を成形し、且つ駆動部２１末端は駆動絶縁環３２外に突出し、該駆動絶縁環３２及び駆動部２１の間に隙間を保有し、該連動絶縁環３１底面の同心に間隔をおいて主リング壁３１１及び副リング壁３１２を環設する。
【００１７】
該つまみ４は、連動部２２と組み付けられ、該連動絶縁環３１を密閉し、該つまみ４の外径は、連動絶縁環３１の内径に密閉され、該つまみ４は、主リング壁３１１に対応して主環溝４１を設け、且つつまみ４は、副リング壁３１２に対応して副環溝４２を設け、該主リング壁３１１及び副リング壁３１２両者の端面及び連動絶縁環３１底面の距離は、同一水平高さであり、該つまみ４は、主環溝４１、副環溝４２は、それぞれ主リング壁３１１及び副リング壁３１２に相対して滑動的に被せ設けられ、且つ主リング壁３１１、副リング壁３１２端面は、それぞれ主環溝４１、副環溝４２の溝底面と滑動的な隙間を保有する。図４〜図５に示すように、本考案の絶縁本体３は、レンチ本体１を覆い、ただ絶縁本体３が駆動部２１及び連動部２２に対して成型するそれぞれ駆動絶縁環３２、連動絶縁環３１のみを残し、大部分の範囲でレンチ本体１を遮蔽し、ラチェット機構組２が帯電部材の導電を受けることを隔絶する。
【００１８】
また、本考案のつまみ４及び絶縁本体３は、主環溝４１、副環溝４２を介し、絶縁本体３の主リング壁３１１、副リング壁３１２に被せ設けられる設計は、ラチェット機構組とつまみの間に重複構造を形成し、使用者がつまみを調整するか、ラチェット機構組付近を掴持する時、帯電部材がラチェット機構組を経由しジャンプアーク電撃により人体への危険を発生することを防止することができる。
【００１９】
提示すべきこととして、本考案は、図４、図５において、該絶縁本体３は、第１絶縁層３０１及び第２絶縁層３０２から構成される積層構造がレンチ本体１を覆う形態であり、図６に示すように単層の絶縁層３０３から構成され、レンチ本体１を覆うこともでき、異なる層数の絶縁層により各式レンチ本体１に適合することができる。
【００２０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２１】
１  レンチ本体
１１  掴持端
１２  レンチ頭部
２  ラチェット機構組
２１  駆動部
２２  連動部
３  絶縁本体
３０１  第１絶縁層
３０２  第２絶縁層
３０３  単層絶縁層
３１  連動絶縁環
３１１  主リング壁
３１２  副リング壁
３２  駆動絶縁環
４  つまみ
４１  主環溝
４２  副環溝
【図１】
0003189909.tif 000003
【図２】
0003189909.tif 000004
【図３】
0003189909.tif 000005
【図４】
0003189909.tif 000006
【図５】
0003189909.tif 000007
【図６】
0003189909.tif 000008